(57)【要約】 【課題】  可搬型記憶媒体から読み出した医用画像データに関する患者情報と、既に管理されている医用画像データに関する患者情報の重複管理を防ぐ。【解決手段】メディアドライブ３６は、メディアＭからＤＩＣＯＭ画像データを読み出す。制御部３１は、このＤＩＣＯＭ画像データにおける第１の患者情報と一致する第２の患者情報をＤＩＣＯＭ画像データ管理ＤＢ３５２から複数の条件で検索し、検索結果を表示部３３に表示させる。制御部３１は、ユーザ操作による操作部３２からの操作信号に基づいて、検索結果から第２の患者情報を選択し、この第２の患者情報を第１の患者情報に反映する。制御部３１は、メディアＭから読み出されたＤＩＣＯＭ画像データをＤＩＣＯＭ画像データ管理ＤＢに登録する。【選択図】図４
2010257276.tif 000002
【特許請求の範囲】
【請求項１】
第１の患者情報を含む付帯情報が付帯された医用画像データを可搬型記憶媒体から読み出す読出手段と、
前記第１の患者情報と一致する第２の患者情報を、管理されている医用画像データに関する患者情報の中から複数の条件で検索し、検索された第２の患者情報の何れかに基づいて前記第１の患者情報を変更し、前記読出手段により読み出された医用画像データを取り込む制御手段と、
を備える医用画像取込装置。
【請求項２】
医用画像データを管理する管理手段を更に備え、
前記制御手段は、前記管理手段により管理されている医用画像データに関する患者情報の中から前記第２の患者情報を検索し、前記読み出された医用画像データを前記管理手段に管理させることにより当該医用画像データを取り込む、
請求項１に記載の医用画像取込装置。
【請求項３】
医用画像データを管理する医用画像管理装置とデータの送受信を行う通信手段を更に備え、
前記制御手段は、前記通信手段を制御して、前記医用画像管理装置において管理されている医用画像データに関する患者情報の中から前記第２の患者情報を検索し、前記通信手段を制御して、前記読み出された医用画像データを前記医用画像管理装置に送信させることにより当該医用画像データを取り込む、
請求項１に記載の医用画像取込装置。
【請求項４】
前記制御手段は、前記検索の結果を画面に表示する、
請求項１〜３の何れか一項に記載の医用画像取込装置。
【請求項５】
前記第２の患者情報の何れかを選択する旨の操作信号を受け付ける受付手段を更に備え、
前記制御手段は、前記操作信号に基づいて前記第２の患者情報を選択し、当該選択された第２の患者情報に基づいて前記第１の患者情報を変更する、
請求項４に記載の医用画像取込装置。
【請求項６】
前記制御手段は、患者情報に含まれる各項目を比較して、第２の患者情報を検索する、
請求項４又は５に記載の医用画像取込装置。
【請求項７】
前記複数の条件とは、比較する項目の組み合わせである、
請求項６に記載の医用画像取込装置。
【請求項８】
前記制御手段は、比較する項目毎に設定された一致の重みに基づいて、第２の患者情報の一致率を算出し、当該一致率を前記検索の結果と共に画面に表示する、
請求項７に記載の医用画像取込装置。
【請求項９】
コンピュータを、
第１の患者情報を含む付帯情報が付帯された医用画像データを可搬型記憶媒体から読み出す読出手段、
前記第１の患者情報と一致する第２の患者情報を、管理されている医用画像データに関する患者情報の中から複数の条件で検索し、検索された第２の患者情報の何れかに基づいて前記第１の患者情報を変更し、前記読出手段により読み出された医用画像データを取り込む制御手段、
として機能させるためのプログラム。
【発明の詳細な説明】
【技術分野】
【０００１】
本発明は、医用画像取込装置及びプログラムに関する。
【背景技術】
【０００２】
病院や診療所等の医療施設では、Ｘ線撮影装置等の医用画像撮影装置（モダリティ）を用いて患者の撮影が行われ、医用画像（医用画像データ）が生成される。そして、この医用画像に患者情報や検査情報等を含む付帯情報が付帯され、ＤＩＣＯＭ（Digital Imaging and Communication in Medicine）規格に準拠したＤＩＣＯＭ画像データが生成される。ＤＩＣＯＭとは、医用画像の通信及び保存フォーマットに関する標準規格であり、この規格に準拠することで、異なる医療機器間での相互通信性が確保される。
【０００３】
生成されたＤＩＣＯＭ画像データは、ＰＡＣＳ（Picture Archiving and Communication System）と呼ばれる医用画像管理システム（医用画像管理装置）に送信され、このＰＡＣＳにて記憶され管理される（ＰＡＣＳに登録される）。
【０００４】
近年、このようにＰＡＣＳで管理されているＤＩＣＯＭ画像データを他のシステムや一般患者に提供する方法として、通信ネットワークによる方法とは別に、ＣＤ−ＲやＤＶＤ−Ｒ等の可搬型記憶媒体による提供も行われている。
【０００５】
具体的に、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、ＤＩＣＯＭ画像データを可搬型記憶媒体に記憶させ、このＤＩＣＯＭ画像データを提供する。ＰＤＩでは、可搬型記憶媒体におけるディレクトリ構成や索引ファイル等が規定されており、異なる医療機関の間でデータ交換が保証される。
【０００６】
ところで、他システムで生成された可搬型記憶媒体に記憶されたＤＩＣＯＭ画像データの患者情報と、予めＰＡＣＳに登録されている患者情報とが同一の患者についての情報である場合でも、これらの患者情報は、必ずしも一致するとは限らない。そのため、同一の患者についての患者情報が重複してＰＡＣＳで管理されることがある。
【０００７】
このような問題を解決するために、他システムで生成された可搬型記憶媒体に記憶されたＤＩＣＯＭ画像データの患者情報と、予めＰＡＣＳに登録されている患者情報との整合性を判定し、可搬型記憶媒体に記憶されたＤＩＣＯＭ画像データの患者情報を登録前に修正するシステムが開発されている。
【０００８】
例えば、ある病院において、可搬型記憶媒体にＰＤＩに従ったデータ構成でＤＩＣＯＭ画像データと患者プロファイル情報を記憶させ、別の病院に設置された患者受付装置で患者プロファイル情報を、画像サーバでＤＩＣＯＭ画像データをそれぞれ読み出し、患者受付装置でＩＤ変更指示情報を生成し、このＩＤ変更指示情報と患者プロファイル情報とを画像サーバに送信し、画像サーバでＤＩＣＯＭ画像データの付帯情報に含まれる患者情報を修正する技術が開示されている（特許文献１参照）。
【先行技術文献】
【特許文献】
【０００９】
【特許文献１】特開２００８−２３４３０５号公報
【発明の概要】
【発明が解決しようとする課題】
【００１０】
しかし、可搬型記憶媒体に記憶されたＤＩＣＯＭ画像データの患者情報と、予めＰＡＣＳに登録されている患者情報との整合性の判定を厳格に行うと、これらが同一患者の患者情報である場合でも、やはり、別患者の患者情報として重複してＰＡＣＳにおいて管理されることがある。
【００１１】
本発明は、上述したような課題に鑑みて為されたものであり、その目的とするところは、可搬型記憶媒体から読み出した医用画像データに関する患者情報と、既に管理されている医用画像データに関する患者情報の重複管理を防ぐことである。
【課題を解決するための手段】
【００１２】
上記の課題を解決するために、請求項１に記載の医用画像取込装置は、
第１の患者情報を含む付帯情報が付帯された医用画像データを可搬型記憶媒体から読み出す読出手段と、
前記第１の患者情報と一致する第２の患者情報を、管理されている医用画像データに関する患者情報の中から複数の条件で検索し、検索された第２の患者情報の何れかに基づいて前記第１の患者情報を変更し、前記読出手段により読み出された医用画像データを取り込む制御手段と、
を備える。
【００１３】
請求項２に記載の発明は、請求項１に記載の発明において、
医用画像データを管理する管理手段を更に備え、
前記制御手段は、前記管理手段により管理されている医用画像データに関する患者情報の中から前記第２の患者情報を検索し、前記読み出された医用画像データを前記管理手段に管理させることにより当該医用画像データを取り込む。
【００１４】
請求項３に記載の発明は、請求項１に記載の発明において、
医用画像データを管理する医用画像管理装置とデータの送受信を行う通信手段を更に備え、
前記制御手段は、前記通信手段を制御して、前記医用画像管理装置において管理されている医用画像データに関する患者情報の中から前記第２の患者情報を検索し、前記通信手段を制御して、前記読み出された医用画像データを前記医用画像管理装置に送信させることにより当該医用画像データを取り込む。
【００１５】
請求項４に記載の発明は、請求項１〜３の何れか一項に記載の発明において、
前記制御手段は、前記検索の結果を画面に表示する。
【００１６】
請求項５に記載の発明は、請求項４に記載の発明において、
前記第２の患者情報の何れかを選択する旨の操作信号を受け付ける受付手段を更に備え、
前記制御手段は、前記操作信号に基づいて前記第２の患者情報を選択し、当該選択された第２の患者情報に基づいて前記第１の患者情報を変更する。
【００１７】
請求項６に記載の発明は、請求項４又は５に記載の発明において、
前記制御手段は、患者情報に含まれる各項目を比較して、第２の患者情報を検索する。
【００１８】
請求項７に記載の発明は、請求項６に記載の発明において、
前記複数の条件とは、比較する項目の組み合わせである。
【００１９】
請求項８に記載の発明は、請求項７に記載の発明において、
前記制御手段は、比較する項目毎に設定された一致の重みに基づいて、第２の患者情報の一致率を算出し、当該一致率を前記検索の結果と共に画面に表示する。
【００２０】
請求項９に記載のプログラムは、
コンピュータを、
第１の患者情報を含む付帯情報が付帯された医用画像データを可搬型記憶媒体から読み出す読出手段、
前記第１の患者情報と一致する第２の患者情報を、管理されている医用画像データに関する患者情報の中から複数の条件で検索し、検索された第２の患者情報の何れかに基づいて前記第１の患者情報を変更し、前記読出手段により読み出された医用画像データを取り込む制御手段、
として機能させる。
【発明の効果】
【００２１】
請求項１、９に記載の発明によれば、可搬型記憶媒体から読み出した医用画像データに付帯する付帯情報に含まれる第１の患者情報と一致する第２の患者情報を、管理されている医用画像データに関する患者情報の中から複数の条件で検索する。そして、検索された第２の患者情報の何れかに基づいて第１の患者情報を変更する。そして、可搬型記憶媒体から読み出した医用画像データを取り込む。
【００２２】
そのため、可搬型記憶媒体から読み出した医用画像データに関する患者情報と、既に管理されている医用画像データに関する患者情報の重複管理を防ぐことができる。
【００２３】
請求項２に記載の発明によれば、医用画像取込装置を、医用画像データを管理する医用画像管理装置として適用することができる。
【００２４】
請求項３に記載の発明によれば、医用画像取込装置を、医用画像管理装置とは別の装置として適用することができる。
【００２５】
請求項４に記載の発明によれば、検索の結果を画面に表示するため、医用画像データを取り込む際の利便性が向上する。
【００２６】
請求項５に記載の発明によれば、複数の条件で検索された第２の患者情報の何れかを、ユーザが選択することができる。
【００２７】
請求項６に記載の発明によれば、患者情報に含まれる各項目を比較して、第２の患者情報を検索するので、より正確に、医用画像データに関する患者情報の重複管理を防ぐことができる。
【００２８】
請求項７に記載の発明によれば、より正確に、医用画像データに関する患者情報の重複管理を防ぐことができる。
【００２９】
請求項８に記載の発明によれば、ユーザは、一致率を参照して第２の患者情報を選択することができるので、医用画像データを取り込む際の利便性が更に向上する。
【図面の簡単な説明】
【００３０】
【図１】放射線科システムのシステム構成の一例を示すシステム構成図である。
【図２】ＤＩＣＯＭ画像データのデータ構成図である。
【図３】Ａ病院とＢ病院とにおいて生成されたＤＩＣＯＭ画像データの付帯情報に含まれる同一患者についての患者情報の一例を示す図である。
【図４】ＰＡＣＳのブロック図である。
【図５】ＤＩＣＯＭ画像データ管理ＤＢにおける管理テーブルの関連図である。
【図６】患者情報抽出リスト生成処理を示すフローチャートである。
【図７】一致率算出テーブルのデータ構成図である。
【図８】患者情報比較画面の画面例である。
【図９】ＤＩＣＯＭ画像データ取込処理を示すフローチャートである。
【図１０】放射線システムのシステム構成の一例を示すシステム構成図である。
【図１１】医用画像取込装置のブロック図である。
【発明を実施するための形態】
【００３１】
[第１の実施の形態]
以下、本発明の医用画像取込装置を図１のＰＡＣＳ３０に適用した場合の実施形態（第１の実施の形態）について図１〜図９を参照して説明する。
【００３２】
[放射線科システムのシステム構成]
先ず、ＰＡＣＳ３０を有する放射線科システム１００の概要について図１を用いて説明する。
【００３３】
図１は、Ａ病院内の放射線科システム１００のシステム構成の一例を示すブロック図である。図１によれば、放射線科システム１００は、ＲＩＳ１０と、モダリティ２０と、ＰＡＣＳ３０と、クライアント端末４０と、から構成されている。上記の各装置はＬＡＮ（Local Area Network）等の通信ネットワークＮを介してデータ通信可能に接続されている。
【００３４】
ＲＩＳ１０は、放射線科部門（放射線科システム１００）内における診療予約、診断結果のレポート、実績管理、材料在庫管理等の情報管理を行う。ＲＩＳ１０は、図示しない電子カルテシステム等において生成された撮影オーダ情報をモダリティ２０に送信する。
【００３５】
モダリティ２０は、ＲＩＳ１０から受信した撮影オーダ情報に従って、患者を撮影し、医用画像の画像データ（医用画像データ）を生成する撮影装置である。また、モダリティ２０は、前記撮影オーダ情報に基づいて、前記画像データに関する付帯情報を生成する。そして、モダリティ２０は、前記画像データ（以下、実画像データと称す。）に付帯情報を付帯させて、ＤＩＣＯＭ規格に則ったＤＩＣＯＭ画像データを生成し、ＰＡＣＳ３０に送信する。モダリティ２０としては、ＣＲ装置、ＣＴ装置、ＭＲＩ装置等、様々な種類の医用画像を撮影する撮影装置（医用画像撮影装置）が適用可能である。
【００３６】
図２に、モダリティ２０が生成するＤＩＣＯＭ画像データのデータ構成図を示す。前述したように、ＤＩＣＯＭ画像データは、付帯情報と実画像データとから構成される。また、付帯情報は、患者情報、検査情報、シリーズ情報及び画像識別情報を含む。
【００３７】
患者情報は、患者ＩＤ、患者氏名（ローマ字）、患者氏名（カナ）、患者氏名（漢字）、患者性別、患者誕生日、他の患者ＩＤ、診療記録所在識別子、患者の身長、患者の体重、患者の電話番号、患者の住所、職業等の項目を含んだ患者に関する情報である。検査情報は、検査を識別する検査ＩＤ、検査名、検査日時、受付番号、検査目的、検査内容等の検査に関する情報である。シリーズ情報は、シリーズ番号、モダリティ名、手技、撮影部位、撮影方向、撮影技師名等の、一つの検査の中で生成されるモダリティ毎の一連の医用画像の単位（シリーズ）に関する情報である。画像識別情報は、画像を識別するＳＯＰインスタンスＵＩＤ、画像番号、画像サイズ等の医用画像に関する情報である。
【００３８】
図１に戻り、メディアＭは、ＤＩＣＯＭ画像データを記憶している可搬型記憶媒体（ＣＤ−Ｒ、ＤＶＤ−Ｒ等）である。メディアＭは、ＩＨＥおよびＩＨＥ−ＪのＰＤＩによって定められたデータ構造に則って、ＤＩＣＯＭ画像データを記憶している。本実施の形態では、Ａ病院とは異なるＢ病院内の放射線科システムにおいて、メディアＭにＤＩＣＯＭ画像データが書き込まれたとする。
【００３９】
図３に、Ａ病院とＢ病院とにおいて生成されたＤＩＣＯＭ画像データの付帯情報に含まれる同一患者についての患者情報の一例を示す。
【００４０】
図３に示すように、Ａ病院とＢ病院とでは、同一患者についての患者情報の項目の値が異なる場合がある。具体的に、「患者ＩＤ」は、各医療施設において発行されるＩＤであるので、Ａ病院では「１」、Ｂ病院では「０００２」と異なった値となる。
【００４１】
また、「患者氏名（ローマ字）」は、Ａ病院では、「ＴＯＫＹＯ^ＴＡＲＯ」、Ｂ病院では、「ＴＯＫＹＯＵ^ＴＡＲＯＵ」と異なった値となる。これは、各医療施設のモダリティにおける撮影技師等のユーザの文字入力の差異等によるものである。
【００４２】
また、「患者氏名（カナ）」は、Ａ病院では半角で、Ｂ病院では全角で表示される。また、「患者氏名（漢字）」は、Ａ病院では空欄になる。これらは、各医療施設のモダリティのベンダの違い等によるものである。
【００４３】
このように、ＤＩＣＯＭ画像データが生成される医療施設やモダリティが異なると、又はモダリティを操作する撮影技師等のユーザが異なると、このＤＩＣＯＭ画像データの患者情報が、同一患者の情報であっても異なる場合がある。
【００４４】
図１に戻り、ＰＡＣＳ３０は、モダリティ２０において生成されたＤＩＣＯＭ画像データを保存管理し、検索やデータ解析を行うデータベースシステムである。ＰＡＣＳ３０は、モダリティ２０から受信したＤＩＣＯＭ画像データに含まれる付帯情報に基づいて当該ＤＩＣＯＭ画像データを、例えば、リレーショナルデータベースに蓄積記憶していく。そして、ＰＡＣＳ３０は、読影医等の操作指示に応じて指定された患者ＩＤや検査ＩＤ等を検索キーとしてＤＩＣＯＭ画像データを検索し、画像ビューワやイメージャに出力する。ＰＡＣＳ３０は、患者ＩＤや検査ＩＤ等の検索キーを含むＤＩＣＯＭ画像データ取得要求を外部機器から受信すると、この取得要求に応じたＤＩＣＯＭ画像データを検索して外部機器に提供（送信）する。
【００４５】
また、ＰＡＣＳ３０は、メディアＭからＤＩＣＯＭ画像データを読み出し、このＤＩＣＯＭ画像データを、モダリティ２０から受信したＤＩＣＯＭ画像データと共に保存管理する。即ち、ＰＡＣＳ３０は、メディアＭから読み出したＤＩＣＯＭ画像データを取り込む。
【００４６】
クライアント端末４０は、医用画像を表示するビューワ機能を有しており、読影医等の読影に供する端末である。クライアント端末４０は、ＤＩＣＯＭ画像データ取得要求をＰＡＣＳ３０に送信し、ＰＡＣＳ３０から取得要求に応じたＤＩＣＯＭ画像データを取得する。そして、クライアント端末４０は、取得したＤＩＣＯＭ画像データを表示する。
【００４７】
[ＰＡＣＳの機能的構成]
図４に、ＰＡＣＳ３０の機能的構成を示す。
【００４８】
図４に示すように、ＰＡＣＳ３０は、制御部３１、操作部３２、表示部３３、通信部３４、記憶部３５、メディアドライブ３６を備えて構成され、各部はバス３７により接続されている。
【００４９】
制御部３１は、ＣＰＵ（Central Processing Unit）、ＲＡＭ（Random Access Memory）等から構成され、ＰＡＣＳ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００５０】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００５１】
表示部３３は、ＬＣＤ（Liquid Crystal Display）により構成され、制御部３１から入力される表示データに基づいて各種画面を表示する。
【００５２】
通信部３４は、ＬＡＮ（Local Area Network）アダプタ、ルータ、ＴＡ（Terminal Adapter）等を備え、通信ネットワークＮを介して接続されたモダリティ２０、クライアント端末４０等の外部機器との間でデータの送受信を行う。
【００５３】
メディアドライブ３６は、制御部３１からの制御信号に基づき、メディアＭ等の可搬型記憶媒体に記憶されている各種データを読み出す。また、メディアドライブ３６は、制御部３１からの制御信号に基づき、可搬型記憶媒体に各種データを書き込む。メディアドライブ３６は、メディアＭがセットされると、メディアＭからＤＩＣＯＭ画像データを読み出す。
【００５４】
記憶部３５は、ハードディスク等から構成され、制御プログラム、当該プログラムの実行に必要なパラメータやファイル等を記憶している。また、記憶部３５は、モダリティ２０により生成されたＤＩＣＯＭ画像データ、メディアＭから読み出されたＤＩＣＯＭ画像データを記憶する。
【００５５】
また、記憶部３５は、ＤＩＣＯＭ画像データを管理するためのデータベースプログラムであるＤＩＣＯＭ画像データ管理ＤＢ３５２を記憶する。ＤＩＣＯＭ画像データ管理ＤＢ３５２と制御部３１とは協働して、記憶部３５に記憶されているＤＩＣＯＭ画像データを管理する。即ち、ＤＩＣＯＭ画像データ管理ＤＢ３５２と制御部３１との協働で、管理手段として機能する。
【００５６】
図５に、ＤＩＣＯＭ画像データ管理ＤＢ３５２における管理テーブルの関連図を示す。
【００５７】
図５に示すように、ＤＩＣＯＭ画像データ管理ＤＢ３５２は、患者情報テーブルＴ１、検査情報テーブルＴ２、シリーズ情報テーブルＴ３、画像識別情報テーブルＴ４等の管理テーブルから構成される。
【００５８】
患者情報テーブルＴ１は、管理対象となるＤＩＣＯＭ画像データの付帯情報に含まれる患者情報を管理する管理テーブルである。患者情報テーブルＴ１は、「患者ＩＤ」「患者氏名（ローマ字）」「患者氏名（カナ）」「患者氏名（漢字）」「患者性別」「患者誕生日」等の項目から成る１又は複数のレコードから構成される。
【００５９】
検査情報テーブルＴ２は、管理対象となるＤＩＣＯＭ画像データの付帯情報に含まれる検査情報を管理する管理テーブルである。検査情報テーブルＴ２は、「検査ＩＤ」「検査名」「検査日時」「受付番号」「検査目的」「検査内容」等の項目から成る１又は複数のレコードから構成される。
【００６０】
シリーズ情報テーブルＴ３は、管理対象となるＤＩＣＯＭ画像データの付帯情報に含まれるシリーズ情報を管理する管理テーブルである。シリーズ情報テーブルＴ３は、「シリーズ番号」「モダリティ名」「手技」「撮影部位」「撮影方向」「撮影技師名」等の項目から成る１又は複数のレコードから構成される。
【００６１】
画像識別情報テーブルＴ４は、管理対象となるＤＩＣＯＭ画像データの付帯情報に含まれる画像識別情報を管理する管理テーブルである。画像識別情報テーブルＴ４は、「ＳＯＰインスタンスＵＩＤ」「画像番号」「画像サイズ」等の項目から成る１又は複数のレコードから構成される。
【００６２】
これらの管理テーブルは、ＤＩＣＯＭ画像データ管理ＤＢ３５２内で管理されるローカルＩＤ（ＬＩＤ）により関連付けられる。具体的に、患者情報テーブルＴ１の１レコードに対して、検査情報テーブルＴ２の１又は複数のレコードが関連付けられる。検査情報テーブルＴ２の１レコードに対して、シリーズ情報テーブルＴ３の１又は複数のレコードが関連付けられる。シリーズ情報テーブルＴ３の１レコードに対して、画像識別情報テーブルＴ４の１又は複数のレコードが関連付けられる。また、画像識別情報テーブルＴ４の１レコードに対して、１画像分のＤＩＣＯＭ画像データが関連付けられる（図示せず）。
【００６３】
図４に戻り、記憶部３５は、医用画像取込プログラム３５１を記憶する。医用画像取込プログラム３５１と制御部３１とは協働して、患者情報抽出リスト生成処理を行い、患者情報比較画面３３１を表示部３３に表示させる。また、医用画像取込プログラム３５１と制御部３１とは協働して、ＤＩＣＯＭ画像データ取込処理を行う。
【００６４】
[患者情報抽出リスト生成処理]
次に、ＰＡＣＳ３０の制御部３１が医用画像取込プログラム３５１と協働して行う、患者情報抽出リスト生成処理の具体的な動作について、図６を用いて説明する。
【００６５】
メディアドライブ３６にメディアＭがセットされ、メディアドライブ３６がメディアＭからＤＩＣＯＭ画像データを読み出すと、この患者情報抽出リスト生成処理が実行される。
【００６６】
図６に示すように、制御部３１は、メディアＭから読み出されたＤＩＣＯＭ画像データの付帯情報に含まれる患者情報から項目「患者氏名（ローマ字）」「患者氏名（カナ）」「患者氏名（漢字）」「患者性別」「患者誕生日」を抽出する。そして、制御部３１は、この抽出した各項目全てが一致するレコードを、ＤＩＣＯＭ画像データ管理ＤＢ３５２の患者情報テーブルＴ１から検索する（ステップＳ１）。
【００６７】
ステップＳ１における検索の結果、該当するレコードが患者情報テーブルＴ１に有る場合（ステップＳ２；ＹＥＳ）、制御部３１は、患者情報の一致率を算出する。そして、制御部３１は、この該当するレコードに対応する患者情報と、算出した一致率とを含むレコードを生成して患者情報抽出リストＬ１に追加する（ステップＳ３）。
【００６８】
ここで、「一致率」とは、メディアＭから読み出されたＤＩＣＯＭ画像データの付帯情報に含まれる患者情報と、患者情報テーブルＴ１において管理されている患者情報との一致の度合いを示す値である。制御部３１は、一致率算出テーブルＴ１１に基づいて、「一致率」を算出する。一致率算出テーブルＴ１１は、記憶部３５に記憶されており、制御部３１のＲＡＭに展開される。
【００６９】
図７に、一致率算出テーブルＴ１１のデータ構成を示す。一致率算出テーブルＴ１１では、各項目が一致率に対応付けられて記憶されている。制御部３１は、抽出した項目に対応付けられた一致率を足し合わせた値を、患者情報抽出リストＬ１に追加するレコードの「一致率」とする。即ち、一致率算出テーブルＴ１１における各項目に対応付けられた一致率は、項目毎の一致の重みを示す。
【００７０】
例えば、ステップＳ３において、制御部３１は、抽出した項目「患者氏名（ローマ字）」「患者氏名（カナ）」「患者氏名（漢字）」「患者性別」「患者誕生日」に対応する一致率「＋２０％」「＋１０％」「＋４０％」「＋１０％」「＋２０％」を足し合わせ、患者情報抽出リストＬ１に追加するレコードの「一致率」を「１００％」とする。
【００７１】
図６に戻り、ステップＳ３の処理を終えると、又は、ステップＳ１における検索の結果、該当するレコードが患者情報テーブルＴ１に無い場合（ステップＳ２；ＮＯ）、制御部３１は、メディアＭから読み出されたＤＩＣＯＭ画像データの付帯情報に含まれる患者情報から項目「患者氏名（ローマ字）」「患者氏名（カナ）」「患者氏名（漢字）」「患者性別」を抽出する。そして、制御部３１は、この抽出した各項目全てが一致し、且つ患者情報抽出リストＬ１に追加されたレコードの元となったレコード以外のレコードを、ＤＩＣＯＭ画像データ管理ＤＢ３５２の患者情報テーブルＴ１から検索する（ステップＳ４）。
【００７２】
ステップＳ４における検索の結果、該当するレコードが患者情報テーブルＴ１に有る場合（ステップＳ５；ＹＥＳ）、制御部３１は、患者情報の一致率を算出する。そして、制御部３１は、この該当するレコードに対応する患者情報と、算出した一致率とを含むレコードを生成した患者情報抽出リストＬ１に追加する（ステップＳ６）。ここで、制御部３１は、抽出した項目患者氏名（ローマ字）」「患者氏名（カナ）」「患者氏名（漢字）」「患者性別」に対応する一致率「＋２０％」「＋１０％」「＋４０％」「＋１０％」を足し合わせ、患者情報抽出リストＬ１に追加するレコードの一致率を「８０％」とする。
【００７３】
ステップＳ６の処理を終えると、又はステップＳ４における検索の結果、該当するレコードが患者情報テーブルＴ１に無い場合（ステップＳ５；ＮＯ）、制御部３１は、メディアＭから読み出されたＤＩＣＯＭ画像データの付帯情報に含まれる患者情報から項目「患者氏名（ローマ字）」「患者氏名（カナ）」「患者氏名（漢字）」を抽出する。そして、制御部３１は、この抽出した各項目全てが一致し、且つ患者情報抽出リストＬ１に追加されたレコードの元となったレコード以外のレコードを、ＤＩＣＯＭ画像データ管理ＤＢ３５２の患者情報テーブルＴ１から検索する（ステップＳ７）。
【００７４】
ステップＳ７における検索の結果、該当するレコードが患者情報テーブルＴ１に有る場合（ステップＳ８；ＹＥＳ）、制御部３１は、患者情報の一致率を算出する。そして、制御部３１は、この該当するレコードに対応する患者情報と、算出した一致率とを含むレコードを生成した患者情報抽出リストＬ１に追加する（ステップＳ９）。ここで、制御部３１は、抽出した項目患者氏名（ローマ字）」「患者氏名（カナ）」「患者氏名（漢字）」に対応する一致率「＋２０％」「＋１０％」「＋４０％」を足し合わせ、患者情報抽出リストＬ１に追加するレコードの一致率を「７０％」とする。
【００７５】
ステップＳ９の処理を終えると、又はステップＳ７における検索の結果、該当するレコードが患者情報テーブルＴ１に無い場合（ステップＳ８；ＮＯ）、制御部３１は、メディアＭから読み出されたＤＩＣＯＭ画像データの付帯情報に含まれる患者情報から項目「患者氏名（ローマ字）」「患者氏名（カナ）」を抽出する。そして、制御部３１は、この抽出した各項目全てが一致し、且つ患者情報抽出リストＬ１に追加されたレコードの元となったレコード以外のレコードを、ＤＩＣＯＭ画像データ管理ＤＢ３５２の患者情報テーブルＴ１から検索する（ステップＳ１０）。
【００７６】
ステップＳ１０における検索の結果、該当するレコードが患者情報テーブルＴ１に有る場合（ステップＳ１１；ＹＥＳ）、制御部３１は、患者情報の一致率を算出する。そして、制御部３１は、この該当するレコードに対応する患者情報と、算出した一致率とを含むレコードを生成した患者情報抽出リストＬ１に追加する（ステップＳ１２）。ここで、制御部３１は、抽出した項目「患者氏名（ローマ字）」「患者氏名（カナ）」に対応する一致率「＋２０％」「＋１０％」を足し合わせ、患者情報抽出リストＬ１に追加するレコードの一致率を「３０％」とする。
【００７７】
ステップＳ１２の処理を終えると、又はステップＳ１０における検索の結果、該当するレコードが患者情報テーブルＴ１に無い場合（ステップＳ１１；ＮＯ）、制御部３１は、メディアＭから読み出されたＤＩＣＯＭ画像データの付帯情報に含まれる患者情報から項目「患者氏名（ローマ字）」を抽出する。そして、制御部３１は、この抽出した項目が一致し、且つ患者情報抽出リストＬ１に追加されたレコードの元となったレコード以外のレコードを、ＤＩＣＯＭ画像データ管理ＤＢ３５２の患者情報テーブルＴ１から検索する（ステップＳ１３）。
【００７８】
ステップＳ１３における検索の結果、該当するレコードが患者情報テーブルＴ１に有る場合（ステップＳ１４；ＹＥＳ）、制御部３１は、患者情報の一致率を算出する。そして、制御部３１は、この該当するレコードに対応する患者情報と、算出した一致率とを含むレコードを生成した患者情報抽出リストＬ１に追加する（ステップＳ１５）。ここで、制御部３１は、抽出した項目「患者氏名（ローマ字）」に対応する一致率「＋２０％」を、患者情報抽出リストＬ１に追加するレコードの一致率とする。
【００７９】
ステップＳ１５の処理を終えると、又はステップＳ１３における検索の結果、該当するレコードが患者情報テーブルＴ１に無い場合（ステップＳ１４；ＮＯ）、制御部３１は、患者情報抽出リスト生成処理を終える。
【００８０】
[患者情報比較画面]
患者情報抽出リスト生成処理を終えると、制御部３１は、医用画像取込プログラム３５１と協働して、患者情報抽出リストＬ１を含む患者情報比較画面３３１を表示部３３に表示させる。
【００８１】
図８に、患者情報比較画面３３１の画面例を示す。図８に示すように、患者情報比較画面３３１には、患者情報抽出リスト生成処理において生成された患者情報抽出リストＬ１と、メディアＭから読み出されたＤＩＣＯＭ画像データの付帯情報に含まれる患者情報（メディア患者情報）と、が表示される。
【００８２】
患者情報抽出リストＬ１ではレコードの選択が可能となっている。メディアＭから読み出されたＤＩＣＯＭ画像データの付帯情報に含まれる患者情報は、選択された患者情報抽出リストＬ１のレコードに関する患者情報に上書きされる。
【００８３】
[ＤＩＣＯＭ画像データ取込処理]
次に、ＰＡＣＳ３０の制御部３１が医用画像取込プログラム３５１と協働して行う、ＤＩＣＯＭ画像データ取込処理の具体的な動作について、図９を用いて説明する。
【００８４】
患者情報抽出リストＬ１が表示部３３に表示され、ユーザ操作による操作部３２からの操作信号が入力されることにより、ＤＩＣＯＭ画像データ取込処理が実行される。
【００８５】
図９に示すように、制御部３１は、患者情報抽出リストＬ１にレコードが有るか否かを判定する（ステップＳ１０１）。
【００８６】
判定の結果、レコードが有る場合（ステップＳ１０１；ＹＥＳ）、制御部３１は、ユーザの操作部３２からの操作信号に基づき、患者情報抽出リストＬ１のレコードを選択する（ステップＳ１０２；ＹＥＳ）。
【００８７】
そして、制御部３１は、患者情報抽出リストＬ１の選択されたレコードに対応する患者情報（患者情報テーブルＴ１に登録されているレコード）を、メディアＭから読み出されたＤＩＣＯＭ画像データの患者情報に上書き（反映）する（ステップＳ１０５）。
【００８８】
そして、制御部３１は、メディアＭから読み出されたＤＩＣＯＭ画像データをＤＩＣＯＭ画像データ管理ＤＢ３５２に登録し、記憶部３５に記憶させる（ステップＳ１０９）。以上で、ＤＩＣＯＭ画像データ取込処理が終了する。
【００８９】
一方、ステップＳ１０１における判定の結果、患者情報抽出リストＬ１にレコードが無い場合（ステップＳ１０１；ＮＯ）、制御部３１は、新規患者ＩＤを発行する旨を表示部３３に表示させる（ステップＳ１０３）。そして、制御部３１は、ＤＩＣＯＭ画像データ管理ＤＢ３５２に問い合わせて、新規の患者ＩＤを発行する（ステップＳ１０４）。そして、制御部３１は、発行された患者ＩＤを、メディアＭから読み出されたＤＩＣＯＭ画像データの患者情報の項目「患者ＩＤ」に上書き（反映）する。
【００９０】
また、患者情報抽出リストＬ１にレコードが有るにも拘らず、レコードを選択する旨のユーザ操作が操作部３２に行われず、患者情報抽出リストＬ１のレコードを選択しなかった場合（ステップＳ１０２；ＮＯ）、制御部３１は、新規患者ＩＤを発行する旨を表示部３３に表示させ（ステップＳ１０３）、新規の患者ＩＤを発行する（ステップＳ１０４）。そして、制御部３１は、発行された患者ＩＤを、メディアＭから読み出されたＤＩＣＯＭ画像データの患者情報の項目「患者ＩＤ」に上書き（反映）する。
【００９１】
そして、制御部３１は、ユーザの操作部３２からの操作信号に基づき、メディアＭから読み出されたＤＩＣＯＭ画像データの患者情報の修正を受け付ける（ステップＳ１０６；ＹＥＳ）。制御部３１は、この操作信号に基づいて、メディアＭから読み出されたＤＩＣＯＭ画像データの患者情報を変更（修正）する（ステップＳ１０７）。
【００９２】
ステップＳ１０７の処理を終えると、又は、患者情報を修正する旨のユーザ操作が操作部３２に行われず患者情報の修正を受け付けなかった場合（ステップＳ１０６；ＮＯ）、制御部３１は、メディアＭから読み出されたＤＩＣＯＭ画像データの患者情報の文字フォーマットを、ＤＩＣＯＭ画像データ管理ＤＢ３５２の患者情報テーブルＴ１において管理されている形式に変更する（ステップＳ１０８）。具体的には、図３に示した項目「患者氏名（ローマ字）」「患者氏名（カナ）」等における違い（表記法、全角半角の違い等）を、Ｂ病院におけるＤＩＣＯＭ画像データ管理ＤＢ３５２の患者情報テーブルＴ１において管理されている形式に合わせる。
【００９３】
そして、制御部３１は、メディアＭから読み出されたＤＩＣＯＭ画像データをＤＩＣＯＭ画像データ管理ＤＢに登録し、記憶部３５に記憶させる（ステップＳ１０９）。以上で、ＤＩＣＯＭ画像データ取込処理が終了する。
【００９４】
以上、第１の実施の形態によれば、ＰＡＣＳ３０のメディアドライブ３６は、メディアＭからＤＩＣＯＭ画像データを読み出す。制御部３１は、読み出されたＤＩＣＯＭ画像データに付帯する付帯情報に含まれる患者情報（第１の患者情報）と一致する患者情報（第２の患者情報）をＤＩＣＯＭ画像データ管理ＤＢ３５２から複数の条件で検索する。制御部３１は、検索結果である患者情報抽出リストＬ１を含む患者情報比較画面３３１を表示部３３に表示させる。制御部３１は、ユーザ操作による操作部３２からの操作信号に基づいて、患者情報抽出リストＬ１のレコードを選択し、このレコードに対応する第２の患者情報をメディアＭから読み出されたＤＩＣＯＭ画像データの第１の患者情報に反映する。そして、制御部３１は、メディアＭから読み出されたＤＩＣＯＭ画像データをＤＩＣＯＭ画像データ管理ＤＢ３５２に登録し、記憶部３５に記憶させる。
【００９５】
そのため、メディアＭから読み出したＤＩＣＯＭ画像データに付帯する付帯情報に含まれる患者情報と、既にＤＩＣＯＭ画像データ管理ＤＢ３５２に登録されているＤＩＣＯＭ画像データに付帯する付帯情報に含まれる患者情報の重複管理を防ぐことができる。
【００９６】
また、制御部３１は、複数の条件で第２の患者情報を検索し、各条件に対応する一致率を算出し、患者情報比較画面３３１に含まれる患者情報抽出リストＬ１の項目として、表示部３３に表示させる。
【００９７】
そのため、ユーザは、メディアＭから読み出されたＤＩＣＯＭ画像データの付帯情報に含まれる患者情報と、患者情報テーブルＴ１において管理されている患者情報との一致の度合いを考慮して、メディアＭから読み出されたＤＩＣＯＭ画像データの第１の患者情報に反映する第２の患者情報を選択することができる。
【００９８】
[第２の実施の形態]
以下、本発明の医用画像取込装置を図１０の医用画像取込装置５０に適用した場合の実施形態（第２の実施の形態）について図１０、図１１を参照して説明する。ここでは、上述した第１の実施の形態と異なる点を中心に説明する。
【００９９】
[放射線科システムのシステム構成]
図１０は、放射線科システム１００のシステム構成の一例を示すブロック図である。図１０によれば、Ａ病院内の放射線科システム１００は、ＲＩＳ１０と、モダリティ２０と、ＰＡＣＳ３０と、クライアント端末４０と、医用画像取込装置５０と、から構成されている。上記の各装置はＬＡＮ（Local Area Network）等の通信ネットワークＮを介してデータ通信可能に接続されている。
【０１００】
ＲＩＳ１０は、撮影オーダ情報をモダリティ２０に送信する。
【０１０１】
モダリティ２０は、ＲＩＳ１０から受信した撮影オーダ情報に従って、患者を撮影し、ＤＩＣＯＭ画像データを生成する。モダリティ２０は、生成したＤＩＣＯＭ画像データをＰＡＣＳ３０に送信する。
【０１０２】
ＰＡＣＳ３０は、モダリティ２０や医用画像取込装置５０等の外部機器から送信されたＤＩＣＯＭ画像データを保存管理する。
【０１０３】
クライアント端末４０は、ＤＩＣＯＭ画像データ取得要求をＰＡＣＳ３０に送信し、ＰＡＣＳ３０から取得要求に応じたＤＩＣＯＭ画像データを取得する。そして、クライアント端末４０は、取得したＤＩＣＯＭ画像データを表示する。
【０１０４】
医用画像取込装置５０は、メディアＭに記憶されているＤＩＣＯＭ画像データを読み出し、このＤＩＣＯＭ画像データをＰＡＣＳ３０に送信する。即ち、医用画像取込装置５０は、メディアＭから読み出したＤＩＣＯＭ画像データを取り込む。
【０１０５】
[医用画像取込装置の機能的構成]
図１１に、医用画像取込装置５０の機能的構成を示す。
【０１０６】
図１１に示すように、医用画像取込装置５０は、制御部５１、操作部５２、表示部５３、通信部５４、記憶部５５、メディアドライブ５６を備えて構成され、各部はバス５７により接続されている。
【０１０７】
制御部５１は、ＣＰＵ、ＲＡＭ等から構成され、医用画像取込装置５０の各部の処理動作を統括的に制御する。具体的には、ＣＰＵは、操作部５２から入力される操作信号又は通信部５４により受信される指示信号に応じて、記憶部５５に記憶されている各種処理プログラムを読み出し、ＲＡＭ内に形成されたワークエリアに展開し、当該プログラムとの協働により各種処理を行う。
【０１０８】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【０１０９】
表示部５３は、ＬＣＤにより構成され、制御部５１から入力される表示データに基づいて各種画面を表示する。
【０１１０】
通信部５４は、ＬＡＮアダプタ、ルータ、ＴＡ等を備え、通信ネットワークＮを介して接続されたＰＡＣＳ３０等の外部機器との間でデータの送受信を行う。
【０１１１】
記憶部５５は、ハードディスク等から構成され、制御プログラム、当該プログラムの実行に必要なパラメータやファイル等を記憶している。
【０１１２】
また、記憶部５５は、医用画像取込プログラム５５１を記憶する。医用画像取込プログラム５５１と制御部５１とは協働して、患者情報抽出リスト生成処理を行い、患者情報比較画面３３１を表示部５３に表示させる。また、医用画像取込プログラム５５１と制御部５１とは協働して、ＤＩＣＯＭ画像データ取込処理を行う。
【０１１３】
ここで、第２の実施の形態における患者情報抽出リスト生成処理では、外部機器（ＰＡＣＳ３０）のＤＩＣＯＭ画像データ管理ＤＢ３５２からレコードを検索する。
【０１１４】
具体的に、制御部５１は、検索する項目を含んだ患者検索情報を生成する。制御部５１は、この患者検索情報をＰＡＣＳ３０に通信部５４を介して送信する。ＰＡＣＳ３０は、受信した患者検索情報に基づいて、ＤＩＣＯＭ画像データ管理ＤＢ３５２の患者情報テーブルＴ１から該当する患者情報を検索し、検索した患者情報を医用画像取込装置５０に送信する。
【０１１５】
また、第２の実施の形態におけるＤＩＣＯＭ画像データ取込処理では、メディアＭから読み出されたＤＩＣＯＭ画像データを、外部機器（ＰＡＣＳ３０）のＤＩＣＯＭ画像データ管理ＤＢ３５２に登録する。
【０１１６】
具体的に、制御部５１は、メディアＭから読み出されたＤＩＣＯＭ画像データを、ＰＡＣＳ３０に通信部５４を介して送信する。ＰＡＣＳ３０は、このＤＩＣＯＭ画像データを、ＤＩＣＯＭ画像データＤＢ３５２に登録する。
【０１１７】
以上、第２の実施の形態によれば、医用画像取込装置５０のメディアドライブ５６は、メディアＭからＤＩＣＯＭ画像データを読み出す。制御部５１は、読み出されたＤＩＣＯＭ画像データに付帯する付帯情報に含まれる患者情報（第１の患者情報）と一致する患者情報（第２の患者情報）を、ＰＡＣＳ３０から複数の条件で検索する。制御部５１は、検索結果である患者情報抽出リストＬ１を含む患者情報比較画面３３１を表示部５３に表示させる。制御部５１は、ユーザ操作による操作部５２からの操作信号に基づいて、患者情報抽出リストＬ１のレコードを選択する。そして、制御部５１は、選択したレコードに対応する第２の患者情報を通信部５４を介してＰＡＣＳ３０から受信する。制御部５１は、受信した第２の患者情報をメディアＭから読み出されたＤＩＣＯＭ画像データの第１の患者情報に反映する。そして、制御部３１は、メディアＭから読み出されたＤＩＣＯＭ画像データを通信部５４を介してＰＡＣＳ３０に送信する。ＰＡＣＳ３０は、受信したＤＩＣＯＭ画像データを登録する。
【０１１８】
そのため、メディアＭから読み出したＤＩＣＯＭ画像データに付帯する付帯情報に含まれる患者情報と、既にＤＩＣＯＭ画像データ管理ＤＢ３５２に登録されているＤＩＣＯＭ画像データに付帯する付帯情報に含まれる患者情報の重複管理を防ぐことができる。
【０１１９】
尚、各実施の形態（第１、第２の実施の形態）における記述は、本発明に係る医用画像取込装置の一例であり、これに限定されるものではない。システム及び各装置の細部構成及び細部動作に関しても適宜変更可能である。
【０１２０】
例えば、第１の実施の形態では、患者情報比較画面３３１をＰＡＣＳ３０の表示部３３に表示させ、操作部３２から患者情報抽出リストＬ１のレコードの選択を受け付ける構成としたが、クライアント端末４０の画面上に患者情報比較画面３３１を表示させ、クライアント端末４０から患者情報抽出リストＬ１のレコードの選択を受け付ける構成としてもよい。
【０１２１】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【０１２２】
１０      ＲＩＳ
２０      モダリティ
３０      ＰＡＣＳ
３１      制御部
３２      操作部
３３      表示部
３４      通信部
３５      記憶部
３６      メディアドライブ
３７      バス
４０      クライアント端末
５０      医用画像取込装置
５１      制御部
５２      操作部
５３      表示部
５４      通信部
５５      記憶部
５６      メディアドライブ
５７      バス
１００    放射線科システム
３３１    患者情報比較画面
３５１    医用画像取込プログラム
３５２    ＤＩＣＯＭ画像データ管理ＤＢ
５５１    医用画像取込プログラム
Ｌ１      患者情報抽出リスト
Ｍ        メディア
Ｎ        通信ネットワーク
Ｔ１      患者情報テーブル
Ｔ２      検査情報テーブル
Ｔ３      シリーズ情報テーブル
Ｔ４      画像識別情報テーブル
Ｔ１１    一致率算出テーブル
【図１】
2010257276.tif 000003
【図２】
2010257276.tif 000004
【図３】
2010257276.tif 000005
【図４】
2010257276.tif 000006
【図５】
2010257276.tif 000007
【図６】
2010257276.tif 000008
【図７】
2010257276.tif 000009
【図８】
2010257276.tif 000010
【図９】
2010257276.tif 000011
【図１０】
2010257276.tif 000012
【図１１】
2010257276.tif 000013